(57)【特許請求の範囲】
【請求項１】
可動ブレードを回動させることで断路器の閉，開と接地開閉器の閉との３位置を可動ブレードが占め、可動ブレードに連動連結された操作軸に着脱自在にハンドルを設けて接地開閉器付断路器を構成した開閉装置において、前記ハンドルの外周面に円周溝を形成するとともにハンドルの先端及び円周溝の側面にテーパ面を形成して円周溝と離れた位置には直径方向へロック穴を形成する一方、前記操作軸にハンドルを装着したときに先端が円周溝と対向するスライド用ロックピンと先端がハンドルの軸方向でロック穴の位置と対向する回転用ロックピンとを相互に略平行な状態で夫々のピンの軸方向へ移動自在に設けるとともに第一付勢手段を介してハンドルへ向かって夫々付勢して設け、拘束部材を設けるとともに拘束部材にはスライド用，回転用ロックピンと係合して拘束する係合孔を設け、係合孔へ挿通したスライド用，回転用ロックピンを拘束・開放する方向へ拘束部材を往復移動自在に設け、前記可動ブレードが３位置を占めるときにのみ拘束部材を押してスライド用，回転用ロックピンを開放するカムを設けるとともに当該カムを同期させて操作軸に連動連結し、拘束部材をカムへ向かって付勢する第二付勢手段を設け、第一付勢手段の付勢力に抗して回転用ロックピンを反ハンドル側へ手動で移動させるための取手を設け、可動ブレードが３位置を占めて回転用ロックピンが開放されているときに回転用ロックピンを第１バネの付勢力に抗して反ハンドル側へ移動させて保持するために、回転用ロックピンのカム側の外周面に凹部を形成する一方、該凹部へ向かって先端が付勢される保持ピンを拘束部材に取り付けたことを特徴とする開閉装置。
【発明の詳細な説明】
【０００１】
【発明の属する技術分野】
本発明は開閉装置に関し、接地開閉器付断路器のインターロック機構を改良したものである。
【０００２】
【従来の技術】
開閉装置には、断路器と接地開閉器とをひとつにまとめた接地開閉器付断路器が設けられる。接地開閉器付断路器は主回路閉，主回路開，接地の３つの動作をひとつの可動ブレードを回動させて３位置で止めることによって行っている。
【０００３】
従来の開閉装置における接地開閉器付断路器の構成を図５に示す。この接地開閉器付断路器は、電動操作により又は手動操作により動作させることができる。
【０００４】
まず、電動操作について説明する。断路器を「閉」にする命令が与えられると、モータ１が時計方向へ回転し、この回転運動が減速機２，３で減速され、ゼネバドライバ４とゼネバホイール５とからなるゼネバ機構６を介してリンク機構７へ伝わり、可動ブレード８が「開」の位置から「閉」の位置へ回動する。これにより、主回路導体９，１０が可動ブレード８を介して接続され、断路器が「閉」の状態になる。
【０００５】
可動ブレード８が「閉」の位置まで回動するとゼネバドライバ４のピンとゼネバホイール５のスリットとの係合により回転シール１１よりもあとへは回転運動が伝わらなくなり、可動ブレード８は適正な位置で停止する。可動ブレード８が停止すると、リミットスイッチ１２が動作してモータ１を停止させる。
【０００６】
一方、断路器を「開」にする命令が与えられると、モータ１は反時計方向へ回転する。すると、前記とは反対方向へブレード８が回動し、断路器が「開」の状態になるとリミットスイッチ１２が動作してモータ１が停止する。このとき、ゼネバ機構６による回転伝達阻止はなく、接地開閉器が「閉」となる位置まで回転運動は伝わる。
【０００７】
次に、手動操作について説明する。断路器の「開」「閉」と接地開閉器の「閉」の３つの操作は手動操作によって行えるが、電動操作では接地開閉器の「閉」の動作は行うことができない。断路器の「開」「閉」位置と接地開閉器の「閉」位置との３位置を可動ブレード８が完全に占めているときにのみ前面板１３に形成された挿通孔１４からハンドル１５を挿入したりあるいは逆に抜き取ったりでき、その途中の状態では挿入等ができないようにするためのインターロック機構１６が設けられている。インターロック機構１６は図６に示すように構成されている。可動ブレード８が３位置以外のときは鎖錠コイル１７は消磁されてプランジャ１８が突出して挿入孔１４を塞ぐシャッタ１９と一体のロックレバー２０に係合し、シャッタ１９があるためにハンドル１５を挿入孔１４へ挿入できない。このとき、表示銘板２１に記載された「鎖錠」の文字が窓２２から見えるようになる。一方、可動ブレード８が３位置を占めると鎖錠コイル１７は励磁されてプランジャ１８が引っ込み、ロックレバー２０との係合が外れる。従って、バネ２４の付勢力に抗してピン２３を上方へ移動させればシャッタ１９を時計方向へ回動させることができる。すると挿入孔１４が開いて表示銘板２１における「解除」の文字が窓２２に表示され、ハンドル１５を挿入孔１４へ挿入して操作軸２７に結合させることができる。ハンドル１５をいずれかの方向へ回すことによって可動ブレード８の操作を行うことができ、可動ブレード８を接地用端子２６に当接させれば接地状態となる。そして、可動ブレード８が３位置以外を占めるときにはインターロック機構１６が働き、ハンドル１５を抜き取ることができないようになっている。つまり、手動操作の途中では鎖錠コイル１７は消磁され、図７（ａ）に示すようにハンドル１５の溝２５内にプランジャ１８が係合するとともに窓２２には「鎖錠」の文字が表示される。このため、ハンドル１５を回し始めると、窓２２の表示が「解除」から「鎖錠」へ切り換わり、３位置以外の途中では「鎖錠」となり、３位置では「解除」となる。可動ブレード８が３位置のいずれかの位置を締めて表示が「解除」になればハンドル１５を抜き取ることができる。
【０００８】
以上のように可動ブレードが３位置を占めるように単一の操作機構で操作することから、ハンドルは特定した３位置でのみ着脱できて、操作途中では着脱できないという条件が必要になる。この条件を満たすため、従来は鎖錠コイルを用いたインターロック機構を設けている。
【０００９】
【発明が解決しようとする課題】
ところが、鎖錠コイルを用いるため、制御電源がないとインターロック機構が動作しない。また、可動ブレードが各位置へ回動したときに一旦停止させる停止機構がないため、断路器が「閉」の位置から「開」の位置を通過して接地開閉器「閉」の位置まで一気に回動させてしまう虞れがある。更に、ロックレバーを機械的にロックする部分が鎖錠コイルのプランジャであるため、プランジャを大きくしなければならず鎖錠コイル自体が大きくなるという問題がある。
【００１０】
そこで本発明は、斯る課題を解決した開閉装置を提供することを目的とする。
【００１１】
【課題を解決するための手段】
斯かる目的を達成するための請求項１に係る発明の構成は、ハンドルに円周溝とロック孔とを形成する一方、円周溝へはいり込んでハンドルの着脱を阻止するスライド用ロックピンと可動ブレードが３位置を占めるとロック孔へはいり込んでハンドルの回転を一旦阻止する回転用ロックピンとを夫々ハンドルの外周面へ付勢して設け、双方のロックピンを拘束したり開放したりする拘束部材を設け、拘束部材には双方のロックピンと係合する係合孔を設けて双方のロックピンを拘束・開放すべく移動自在に設け、可動ブレードが３位置を占めるときにのみ拘束部材を押して双方のロックピンを開放するためのカムを設けるとともにカムを同期させて操作軸に連動連結し、回転用ロックピンを手動で動かすための取手を設け、可動ブレードが３位置を占めて回転用ロックピンが開放されているときに回転用ロックピンを付勢力に抗して反ハンドル側へ移動させて保持するために、回転用ロックピンのカム側の外周面に凹部を形成する一方、該凹部へ向かって先端が付勢される保持ピンを拘束部材に取り付けたことを特徴とする。
【００１２】
【発明の実施の形態】
以下、本発明を図面に示す実施例に基づいて詳細に説明する。
【００１３】
本発明による開閉装置における接地開閉器付断路器のインターロック機構の構成を、図１〜図３に示す。このインターロック機構は、接地開閉器付断路器を手動で操作する場合に、前記の３位置でのみハンドルを着脱できて操作途中では着脱できないようにし、かつ各位置で一旦可動ブレードを停止させ、そのまま通過しないようにしたものである。
【００１４】
前記操作軸２７に結合するためのハンドルとして図４に示すハンドル２９が用いられる。ハンドル２９における先端近傍の外周面には円周溝３０が形成されており、円周溝３０の側面とハンドル２９の先端にはテーパ面３１，３２が形成されている。円周溝３０から少し離れた位置には、直径方向へ貫通するロック孔３３が形成されている。
【００１５】
ハンドル２９の円周溝３０は、ハンドル２９の軸方向への移動を拘束して３位置以外ではハンドル２９を挿脱できないようにするものである。図１（ｂ）に示すように、ハンドル２９が操作軸２７に連結された状態のときに先端が円周溝３０と対向するスライド用ロックピン３４が支持板３５，３６に形成したガイド孔３７，３８を介してピンの軸方向へ移動自在に支持され、スライド用ロックピン３４を下方へ押圧するための第一付勢手段としてのバネ３９がバネ受け４０と支持板３５との間に設けられる。４１はストッパである。また、ハンドル２９におけるロック孔３３と対向する位置には、スライド用ロックピン３４と平行にかつスライド用ロックピン３４と同様にして下方へ付勢した状態でハンドル２９の回転を拘束する回転用ロックピン４２が設けられている。回転用ロックピン４２にはバネ３９の付勢力に抗して軸方向へ手動で動かせるように取手４３が設けられている。
【００１６】
スライド用，回転用ロックピン３４，４２と直角な方向へ長いスライド軸４４が支持部材４５，４６に形成したガイド孔を介してスライド自在に支持されている。そして、スライド軸４４の一端にはスライド用，回転用ロックピン３４，４２がピンの軸方向へ移動しないように拘束したり開放したりする拘束部材４７が固着されている。拘束部材４７は平板をＬ字形に折り曲げて形成され、一方側はスライド軸４４に固着され、他方側にはスライド用，回転用ロックピン３４，４２を挿通するための係合孔４８，４９が形成されている。スライド用，回転用ロックピン３４，４２は、図中の小径の部分が断面円形に、大径の部分が断面正方形に形成されており、スライド軸４４が図３（ａ）のように左方へ移動しているときは図３（ｃ）に示すように断面円形の部分が係合孔４８，４９の半円形の部分と係合し、スライド用，回転用ロックピン３４，４２が拘束される。スライド軸４４の他端にはコロ５０が回転自在に設けられ、コロ５０と係合する同期手段としてのカム５１が連結軸５２に固着して設けられる。カム５１は三つの頂点を有する形状に形成され、可動ブレード８が前記の３位置を占めるたびに頂点の位置がコロ５０を押圧するように同期させて連結軸５２が操作軸２７に連動連結されている。そして、支持部材４６とバネ受け５３との間には第二付勢手段としてのバネ５４が設けられている。
【００１７】
このほか、可動ブレード８が３位置を占めて回転用ロックピン４２が開放されているときに、取手４３を持ち上げて保持するために、回転用ロックピン４２におけるカム５１側の外周面に凹部５６が形成される一方、拘束部材４７における回転用ロックピン４２と平行な部分には、スライド軸４４と平行なスリーブ５７の一端が嵌合されて固着され、スリーブ５７内には保持ピン５８が挿通されている。保持ピン５８の先端を凹部５６へ向かって付勢するためにバネ受け５９と拘束部材４７との間には第三付勢手段としてのバネ６０が設けられている。そして、保持ピン５８の後端には抜け止め用のストッパ６１が形成されている。
【００１８】
次に、斯かる開閉装置の作用を説明する。手動によって接地開閉器付断路器を操作するには、まずハンドル２９を挿入孔１４から挿入して操作軸２７と結合する。このとき、可動ブレード８が前記３位置のいずれかの位置を占めていないと、図３に示すようにカム５１がコロ５０を押さずにバネ５４によってスライド軸４４が図３（ａ）中の左方へ移動した状態となり、図３（ｃ）に示すように拘束部材４７における係合孔４８，４９の半円の部分にスライド用，回転用ロックピン３４，４２がはいり込んで双方のロックピンが軸方向へ動けないように拘束される。従って、スライド用ロックピン３４が下方へ押圧されたままロックされ、スライド用ロックピン３４に妨害されてハンドル２９を挿入することができない。可動ブレード８が３位置のいずれかを占めていれば、図１に示すようにカム５１がコロ５０を押すために図１（ｃ）に示すようにスライド用，回転用ロックピン３４，４２が拘束部材４７から開放される。このため、取手４３を持ってバネ３９の付勢力に抗して回転用ロックピン４２を上げることができ、回転用ロックピン４２を上げると図２（ａ）に示すようにバネ６０によって右方へ付勢されている保持ピン５８の先端が凹部５６内に嵌まり込むことから、回転用ロックピン４２が降下しなくなる。そこで、挿入孔１４内へハンドル２９を挿入する。すると、バネ３９で下方へ付勢されているスライド用ロックピン３４が図４に示すテーパ面３２によって押し上げられ、ハンドル２９の挿入が完了するとスライド用ロックピン３４の先端が図３（ｂ）に示すように円周溝３０の中へはいる。
【００１９】
このあと、ハンドル２９をいずれかの方向へ数回回すと、図３に示すように３位置から外れてカム５１がコロ５０を押さない状態になるために保持ピン５８の先端は凹部５６から抜けるが、スライド用，回転用ロックピン３４，４２は拘束部材４７に拘束され、回転用ロックピン４２は降下することなくそのまま拘束される一方、スライド用ロックピン３４は降下した状態で拘束され、３位置の途中を可動ブレード８が占めるときはスライド用ロックピン３４が動かないためにハンドル２９を抜き取ることができない。
【００２０】
更にハンドル２９を７〜８回転させて可動ブレード８が３位置のいずれかを占めると、再び図１（ａ）のようにスライド用，回転用ロックピン３４，４２が開放されるため、上の位置で拘束されていた回転用ロックピン４２がバネ３９の付勢力で下方へ付勢され、可動ブレード８が３位置のいずれかを占めるときに回転用ロックピン４２の先端がロック孔３３へはいり込む。このため、可動ブレード８が３位置のいずれかを占めるとハンドル２９の回転が拘束され、可動ブレード８は３位置のいずれかの位置にくると、必ず一旦停止することになる。
【００２１】
更に次の３位置へ可動ブレード８を回動させるには、取手４３を持ち上げて図２のように凹部５６に保持ピン５８を嵌め込んだのちにハンドル２９を回す。すると、次の３位置に可動ブレード８がきたときに、図１（ａ）のように再び回転用ロックピン４２が降下してハンドル２９が拘束される。
【００２２】
可動ブレード８が３位置を占めるときは図１のようにスライド用，回転用ロックピン３４，４２が開放されるので、取手４３を持って回転用ロックピン４２を上げたのちにハンドル２９を引き抜けばよい。スライド用ロックピン３４は拘束されていないので、ハンドル２９のテーパ面３１により上方へ押し上げられ、ハンドル２９を抜き取ることができる。
【００２３】
なお、ロック穴として本実施例ではハンドルを貫通するロック孔としたが、貫通せずに凹部としてもよい。また、拘束部材とカムとの間にスライド軸を介在させたが、カムによって直接に拘束部材が押されるようにしてもよい。
【００２４】
【発明の効果】
以上の説明からわかるように、請求項１に係る開閉装置によればハンドルの挿脱，回転を拘束・開放するスライド用，回転用ロックピンを設け、可動ブレードが３位置以外を占めるときにはスライド用，回転用ロックピンを拘束する拘束部材を設けたので、制御電源を用いることなく３位置以外でのハンドルの着脱防止と３位置での可動ブレードの一旦停止との作用を行わせることができる。また、可動ブレードが３位置を占めて回転用ロックピンが開放されているときに回転用ロックピンを第一付勢手段の付勢力に抗して保持するために保持ピンと凹部とを設けたので、取手を持ち上げた状態で回転用ロックピンを保持する必要がなく、誤操作が防止されるとともに作業性がよい。
【図面の簡単な説明】
【図１】本発明による開閉装置の実施例に係り、接地開閉器付断路器のインターロック機構及び回転用ロックピンがロックされていない場合を示すもので、（ａ）は左側面図、（ｂ）は正面図、（ｃ）は（ｂ）のＡ−Ａ矢視図。
【図２】本発明による開閉装置の実施例に係り、接地開閉器付断路器のインターロック機構がロックされておらず回転用ロックピンがロックされている場合を示すもので、（ａ）は左側面図、（ｂ）は正面図、（ｃ）は（ｂ）のＢ−Ｂ矢視図。
【図３】本発明による開閉装置の実施例に係り、接地開閉器付断路器のインターロック機構がロック状態の場合を示すもので、（ａ）は左側面図、（ｂ）は正面図、（ｃ）は（ｂ）のＣ−Ｃ矢視図。
【図４】本発明による開閉装置の実施例を示す接地開閉器付断路器のインターロック機構に係り、ハンドルの構成図。
【図５】従来の開閉装置における接地開閉器付断路器の構成図。
【図６】従来の開閉装置における接地開閉器付断路器のインターロック機構に係り、（ａ）は平面図、（ｂ）は（ａ）のＤ−Ｄ矢視図。
【図７】従来の開閉装置における接地開閉器付断路器のインターロック機構においてハンドル挿入時の状態を示すもので、（ａ）は平面図、（ｂ）は正面図。
【符号の説明】
８…可動ブレード
１４…挿入孔
２７…操作軸
２９…ハンドル
３０…円周溝
３１，３２…テーパ面
３３…ロック孔
３４…スライド用ロックピン
３９，５４，６０…バネ
４２…回転用ロックピン
４３…取手
４４…スライド軸
４７…拘束部材
４８，４９…係合孔
５０…コロ
５１…カム
５６…凹部
５８…保持ピン
【図１】
0003738490.tif 000002
【図２】
0003738490.tif 000003
【図３】
0003738490.tif 000004
【図４】
0003738490.tif 000005
【図５】
0003738490.tif 000006
【図６】
0003738490.tif 000007
【図７】
0003738490.tif 000008